(57)【要約】【課題】  水分の浸入による硬化を抑制して、貯蔵安定性を向上するようにした一液型シーリング材の包装容器及び包装方法を提供する。【解決手段】  容器本体１の内部に内袋２を介して一液型シーリング材３を充填すると共に、このシーリング材３の上面に上部シート４を配設し、内袋２と上部シート４とを接合して一液型シーリング材３を包装する包装容器及び包装方法であって、上部シート４の端末４ａを容器本体１の開口側に折り返すと共に、内袋２の開口上端末２ａを上部シート４の折り返し部分を覆うように折り返し、内袋２の開口上端末２ａ側と上部シート４の折り返し前の本体部分の上面側とを熱融着により接合する。【選択図】  図１
2006290372.tif 000002
【特許請求の範囲】
【請求項１】
容器本体の内部に、内袋を介して一液型シーリング材を充填すると共に、該一液型シーリング材の上面に上部シートを配設し、前記内袋と上部シートとを接合した一液型シーリング材の包装容器において、
前記上部シートの端末を前記容器本体の開口側に折り返すと共に、前記内袋の開口上端末を前記上部シートの折り返し部分を覆うように折り返し、前記内袋の開口上端末側と前記上部シートの折り返し前の本体部分の上面側とを熱融着により接合した一液型シーリング材の包装容器。
【請求項２】
前記内袋を構成するシートがアルミニウム製フィルムの両面に少なくとも１層の熱可塑性樹脂を積層してなる請求項１に記載の一液型シーリング材の包装容器。
【請求項３】
前記シートにおける最内層の熱可塑性樹脂が融点１０５〜１２５℃の低密度ポリエチレン樹脂である請求項２に記載の一液型シーリング材の包装容器。
【請求項４】
容器本体の内部に内袋を配設し、該内袋内に一液型シーリング材を充填した後、該一液型シーリング材の上面に上部シートを配設し、前記内袋と上部シートとを接合する一液型シーリング材の包装方法において、
あらかじめ前記上部シートを前記容器本体の開口面より大きく形成しておき、該上部シートを一液型シーリング材の上面に配設した後において、前記上部シートの端末が前記内袋の開口上端末と一液型シーリング材の上面との間に位置するように前記一液型シーリング材の充填量を調整すると共に、
前記一液型シーリング材の充填が完了した段階で、前記上部シートの端末を前記容器本体の開口側に折り返し、次いで前記内袋の開口上端末を前記上部シートの折り返し部分を覆うように前記上部シートの折り返し前の本体部分側に折り返し、折り返した内袋の開口上端末側の上面に加熱器を当接して、該加熱器の加熱により前記内袋の開口上端末側と前記上部シートの折り返し前の本体部分の上面側とを熱融着する一液型シーリング材の包装方法。
【請求項５】
前記内袋を構成するシートがアルミニウム製フィルムの両面に少なくとも１層の熱可塑性樹脂を積層してなる請求項４に記載の一液型シーリング材の包装方法。
【請求項６】
前記シートにおける最内層の熱可塑性樹脂が融点１０５〜１２５℃の低密度ポリエチレン樹脂である請求項５に記載の一液型シーリング材の包装方法。
【発明の詳細な説明】
【技術分野】
【０００１】
この発明は、一液型シーリング材の包装容器及び包装方法に関し、さらに詳しくは、水分の浸入による硬化を抑制して、貯蔵安定性を向上するようにした一液型シーリング材の包装容器及び包装方法に関する。
【背景技術】
【０００２】
一般に、一液型シーリング材は湿気により硬化が促進し、シーリング材としての物性が低下するという問題がある。したがって、その保管や輸送には、厳密な湿気防止策が必要であり、従来、ドラム缶等の容器内にアルミニウム等の金属フィルムの両面に熱可塑性樹脂を被覆した内袋を介してシーリング材を充填し、シーリング材の上面を内袋と同等の材料からなる上部シートを被せて、内袋と上部シートとを熱融着型の接着剤や化学反応型の接着剤により接着して気密性を確保するようにして保管していた（例えば、特許文献１、２参照）。
【０００３】
ところが、何れの場合にあっても、接着強度が十分に確保できずに、保管や輸送を通じて接着界面から水分が浸入し易くなり、貯蔵安定性を阻害するという問題があった。特に、化学反応型の接着剤を使用して内袋と上部シートとを接合する場合には、上記の問題に加えて、一液型の接着剤では硬化するまでに長時間かかり過ぎて作業性が低下し、二液型の接着剤では混合作業に手間がかかることに加えて、混合不良による接着力の低下が避けられないという問題があった。
【特許文献１】特開平１０−７２０５９号公報
【特許文献２】特開２００１−２４７１６４号公報
【発明の開示】
【発明が解決しようとする課題】
【０００４】
この発明の目的は、上述する従来の問題点を解消するもので、水分の浸入による硬化を抑制して、貯蔵安定性を向上するようにした一液型シーリング材の包装容器及び包装方法を提供することにある。
【課題を解決するための手段】
【０００５】
上記の目的を達成するためのこの発明の一液型シーリング材の包装容器は、容器本体の内部に、内袋を介して一液型シーリング材を充填すると共に、該一液型シーリング材の上面に上部シートを配設し、前記内袋と上部シートとを接合した一液型シーリング材の包装容器において、前記上部シートの端末を前記容器本体の開口側に折り返すと共に、前記内袋の開口上端末を前記上部シートの折り返し部分を覆うように折り返し、前記内袋の開口上端末側と前記上部シートの折り返し前の本体部分の上面側とを熱融着により接合したことを要旨とする。
【０００６】
また、この発明の一液型シーリング材の包装方法は、容器本体の内部に内袋を配設し、該内袋内に一液型シーリング材を充填した後、該一液型シーリング材の上面に上部シートを配設し、前記内袋と上部シートとを接合する一液型シーリング材の包装方法において、あらかじめ前記上部シートを前記容器本体の開口面より大きく形成しておき、該上部シートを一液型シーリング材の上面に配設した後において、前記上部シートの端末が前記内袋の開口上端末と一液型シーリング材の上面との間に位置するように前記一液型シーリング材の充填量を調整すると共に、前記一液型シーリング材の充填が完了した段階で、前記上部シートの端末を前記容器本体の開口側に折り返し、次いで前記内袋の開口上端末を前記上部シートの折り返し部分を覆うように前記上部シートの折り返し前の本体部分側に折り返し、折り返した内袋の開口上端末側の上面に加熱器を当接して、該加熱器の加熱により前記内袋の開口上端末側と前記上部シートの折り返し前の本体部分の上面側とを熱融着することを要旨とする。
【発明の効果】
【０００７】
この発明によれば、容器本体の内部に、内袋を介して一液型シーリング材を充填し、このシーリング材の上面に上部シートを配設して一液型シーリング材を包装するに際して、上部シートの端末を容器本体の開口側に折り返すと共に、内袋の開口上端末を上部シートの折り返し部分覆うように折り返し、内袋の開口上端末側と上部シートの折り返し前の本体部分の上面側とを熱融着により接合したので、内袋と上部シートとの接合部が上部シートの折り返し部を介在させた三重構造となることから、保管や輸送を通じて外部からの水分の浸入を完全に遮断することができ、湿気による硬化を有効に抑制して、貯蔵安定性を向上することができる。
【発明を実施するための最良の形態】
【０００８】
以下、この発明の構成につき添付の図面を参照しながら詳細に説明する。
【０００９】
図１はこの発明の一液型シーリング材の包装容器を示す断面図、図２及び図３はこの発明の一液型シーリング材の包装方法の工程を説明するための図１のＸ部近傍を拡大して示す一部断面図である。
【００１０】
この発明の一液型シーリング材の包装容器は、図１に示すように、ドラム缶等の容器本体１の内部に、内袋２を介して一液型シーリング材３を充填し、この一液型シーリング材３の上面に上部シート４を配設して構成されている。そして、上部シート４の端末４ａは容器本体１の開口側に折り返されており、内袋２の開口上端末２ａが上部シート４の折り返し部分を覆うように折り返され、内袋２の開口上端末２ａ側と上部シート４の折り返し前の本体部分の上面側とが熱融着により接合されている。
【００１１】
これにより、内袋２と上部シート４との接合部が上部シート４の折り返し部を介在させた三重構造となっていることから、保管や輸送を通じて外部からの水分の浸入を完全に遮断することができ、湿気による硬化を有効に抑制して、貯蔵安定性を向上することができる。
【００１２】
この発明の包装容器において、内袋２はアルミニウム製フィルムの両面に少なくとも１層の熱可塑性樹脂を積層したシートで構成するとよい。これにより、外部からの水分の浸入を防いで一液型シーリング材３の硬化を抑制すると共に、一液型シーリング材３の物性の低下を有効に防止することができる。
【００１３】
アルミニウム製フィルムの両面に積層する熱可塑性樹脂としては、ポリエチレン樹脂、低密度ポリエチレン樹脂、ポリプロピレン樹脂等のポリオレフィン樹脂、ナイロン樹脂、ポリエステル樹脂等が挙げられる。特にシートの最内層における熱可塑性樹脂には、融点１０５〜１２５℃の低密度ポリエチレン樹脂を使用するとよい。これにより、内袋２の開口上端末２ａ側と上部シート４の折り返し前の本体部分における上面側との熱融着による接合を一層強固にすることができる。
【００１４】
上述する包装容器に充填された一液型シーリング材３は、使用の段階で上部シート４の中央部が切断されて排出孔が形成され、この排出孔を通してシーリング材３がポンプ等により排出されるようになっている。
【００１５】
以下、この発明による一液型シーリング材の包装方法について述べる。以下の説明において、図１に示す包装容器における各部と同一の構成については、同一の符号を付して説明する。また、各工程の説明において、図１のＸ部近傍を拡大して示す図２及び図３を引用して、各工程における特徴点を説明することとする。
【００１６】
この発明による一液型シーリング材の包装方法は、先ず容器本体１の内部に内袋２を配設し、この内袋２に一液型シーリング材３を充填した後、一液型シーリング材３の上面に上部シート４を配設し、内袋２と上部シート４とを接合することにより行なわれる。そして、この一連の工程において、以下に述べる二つの特徴点を備えていることを要旨としている。
【００１７】
すなわち、第一の特徴とする点は、図２に示すように、充填後の一液型シーリング材３の上面に上部シート４を配設する際の内袋２の開口上端末２ａと上部シート４の端末４ａとの高さ関係にあり、あらかじめ上部シート４は容器本体１の開口面より大きく形成されており、上部シート４を一液型シーリング材３の上面に配設した後において、上部シート４の端末４ａが内袋２の開口上端末２ａと一液型シーリング材３の上面との間に位置するように一液型シーリング材３の充填量を調整することにある。
【００１８】
さらに、第二の特徴点は、内袋２と上部シート４とを接合する工程にあり、図３に示すように、内袋２と上部シート４とを接合するに際して、上部シート４の端末４ａを容器本体１の開口側に折り返し、次いで内袋２の開口上端末２ａを上部シート４の折り返し部分を覆うように上部シート４の折り返し前の本体部分側に折り返し、折り返した内袋２の開口上端末２ａ側の上面に加熱器５を当接して、この加熱器５の加熱により内袋２の開口上端末２ａ側と上部シート４の折り返し前の本体部分の上面側とを熱融着することにある。
【００１９】
このような工程により内袋２と上部シート４とを接合することにより、内袋２と上部シート４との接合部が上部シート４の折り返し部を介在させた三重構造となることから、保管や輸送を通じて外部からの水分の浸入を完全に遮断することができ、湿気による硬化を有効に抑制して、貯蔵安定性を向上することができる。
【００２０】
なお、この発明の包装方法において、内袋２に使用する材料、その構成及び作用効果については、上述する包装容器と同等であるので、重複する説明を省略する。
【００２１】
上述するように、この発明の一液型シーリング材の包装容器及び包装方法は、容器本体の内部に、内袋を介して一液型シーリング材を充填し、このシーリング材の上面に上部シートを配設して一液型シーリング材を包装するに際して、上部シートの端末を容器本体の開口側に折り返すと共に、内袋の開口上端末を上部シートの折り返し部分を覆うように折り返し、内袋の開口上端末側と上部シートの折り返し前の本体部分の上面側とを熱融着により接合することにより、外部からの水分の浸入を完全に遮断して貯蔵安定性を向上するもので、湿気、加熱、光、電子線、マイクロウェーブなどで硬化させるタイプの一液型シーリング材や接着剤の包装として広く適用することができる。
【図面の簡単な説明】
【００２２】
【図１】この発明の一液型シーリング材の包装容器を示す断面図である。
【図２】この発明の一液型シーリング材の包装方法の工程を説明するための図１のＸ部近傍を拡大して示す一部断面図である。
【図３】この発明の一液型シーリング材の包装方法の他の工程を説明するための図２に相当する一部断面図である。
【符号の説明】
【００２３】
１  容器本体
２  内袋
３  一液型シーリング材
４  上部シート
５  加熱器
【図１】
2006290372.tif 000003
【図２】
2006290372.tif 000004
【図３】
2006290372.tif 000005